(57)【要約】【課題】作動時のチェーンの逸脱を防止して、入力軸側の動力を、確実かつ滑らかに出力軸側に伝達する無段変速機を提供する。【解決手段】複数のスプロケット（９ａ）を、入力軸（１ａ）の周囲に前記入力軸（１ａ）との距離を調節可能に設けるとともに、前記複数のスプロケット（９ａ）のそれぞれの一部分が外部に露出するように、円錐母線方向に複数のスリット（５ａ）を設けた円錐体（４ａ）を前記入力軸（１ａ）の周囲に設けた入力軸関連部（１ａ、４ａ、５ａ、９ａ）と、同様の構造を備えた出力軸関連部（１ｂ、４ｂ、５ｂ、９ｂ）を、前記円錐体（４ａ、４ｂ）の外部に露出している前記複数のスプロケット（９ａ、９ｂ）のそれぞれの一部分にチェーン（１０）を巻き掛けることにより、連動させたことを特徴とする無段変速機において、前記スプロケット（９ａ、９ｂ）を支持するスプロケット支持体（６ａ、６ｂ）における前記円錐体（４ａ、４ｂ）より外側の部分を環状に繋げる。【選択図】  図１
2004183877.tif 000002
【特許請求の範囲】
【請求項１】
複数のスプロケット（９ａ）を、入力軸（１ａ）の周囲に前記入力軸（１ａ）との距離を調節可能に設けるとともに、前記複数のスプロケット（９ａ）のそれぞれの一部分が外部に露出するように、円錐母線方向に複数のスリット（５ａ）を設けた円錐体（４ａ）を前記入力軸（１ａ）の周囲に設けた入力軸関連部（１ａ、４ａ、５ａ、９ａ）と、同様の構造を備えた出力軸関連部（１ｂ、４ｂ、５ｂ、９ｂ）を、前記円錐体（４ａ、４ｂ）の外部に露出している前記複数のスプロケット（９ａ、９ｂ）のそれぞれの一部分にチェーン（１０）を巻き掛けることにより、連動させたことを特徴とする無段変速機において、前記スプロケット（９ａ、９ｂ）を支持するスプロケット支持体（６ａ、６ｂ）における前記円錐体（４ａ、４ｂ）より外側の部分を環状に繋げたことを特徴とする無段変速機。
【発明の詳細な説明】
【０００１】
【発明の属する技術分野】
本発明は、無段変速機に関するものである。
【０００２】
【従来の技術】
従来の動力の伝達を摩擦に頼らない無段変速機として、特願２００２−２１２４０８号のような無段変速機があった（図５）。
【０００３】
【発明が解決しようとする課題】
上記に示した従来の無段変速機は、作動時にチェーンが外れやすいという問題点があった。
【０００４】
本発明の目的は、作動時におけるチェーンの逸脱を防止して、入力軸側の動力を、確実かつ滑らかに出力軸側に伝達する無段変速機を提供することにある。
【０００５】
【課題を解決するための手段】
前記目的を達成するために、本発明では、図１、図２に示すように、上記に示した従来の無段変速機におけるスプロケット支持体６ａ、６ｂにおける円錐体４ａ、４ｂより外側の部分を環状に繋げることにより、チェーン１０が空間８ａ、８ｂにおける円錐体４ａ、４ｂより外側の部分を通じて逸脱するのを防止している。
【０００６】
【実施例】
以下、図面を用いて本発明の実施例を説明する。図２は、本発明の実施例の上面図であり、図１は、その断面図である。また、図３は、図１、図２に示した実施例における別の変速比選択時の例を示す上面図であり、図４は、その断面図である。
【０００７】
本実施例の無段変速機では、変速時に、スプロケット支持体６ａ、６ｂが、それぞれ、入力軸及び出力軸に沿って移動することにより、スプロケット９ａ、９ｂが、それぞれ、スプロケットガイド部材３ａ、３ｂに沿って、入力軸及び出力軸の垂直方向に移動し、それに伴って、チェーン１０の部分円弧径が変化して、目的の変速比を獲得する（図１、図２、図３、図４）。
【０００８】
円錐体４ａは、入力軸１ａに固定されており、変速時、無変速時に関わらず、常に、チェーン１０の一部分を円弧状に保つ働きをして、入力軸側から出力軸側への滑らかな動力の伝達を実現する役割をする。また、出力軸側の円錐体４ｂも同様である。
【０００９】
スプロケット支持体ガイド部材２ａは、円錐体４ａの内部に入力軸１ａと平行に固定されており、入力軸１ａからの動力を、変速時、無変速時に関わらず、常に、スプロケット支持体６ａに伝達する役割をする。また、出力軸側のスプロケット支持体ガイド部材２ｂも同様に、円錐体４ｂの内部に出力軸１ｂと平行に固定されており、スプロケット支持体６ｂからの動力を、変速時、無変速時に関わらず、常に、出力軸１ｂに伝達する役割をする。
【００１０】
スプロケットガイド部材３ａは、円錐体４ａの内側に円錐母線と平行に固定されているとともに、スプロケット９ａとスプロケットガイドスリット７ａの中を貫通することにより、変速時にスプロケット支持体６ａの移動に伴って、スプロケット９ａを入力軸の垂直方向に移動させ、目的の変速比（チェーン１０の部分円弧径）を獲得する役割をする。また、変速時、無変速時に関わらず、常に、スプロケット９ａの一部分がスリット５ａから円錐体４ａの外部に露出している状態を維持する。また、出力軸側のスプロケットガイド部材３ｂも同様である。
【００１１】
スプロケット支持体６ａは、入力軸１ａの周囲に、軸方向に移動自在に設けられており、スプロケット９ａ及びチェーン１０を支持するとともに、スプロケットガイド部材３ａ及び円錐体４ａ上の目的の変速比（チェーン１０の部分円弧径）の場所まで、スプロケット９ａ及びチェーン１０を移動させる役割をする。その際、使用する動力源としては、油圧や電気モーターなどが考えられる。また、出力軸側のスプロケット支持体６ｂも同様である。
【００１２】
本実施例では、スプロケット９ａ、９ｂを、それぞれ、スプロケット支持体６ａ、６ｂで挟むことにより、チェーン１０を外れにくくしているが、さらに、スプロケット支持体６ａ、６ｂにおける円錐体４ａ、４ｂより外側の部分を環状に繋げることにより、チェーン１０が空間８ａ、８ｂにおける円錐体４ａ、４ｂより外側の部分を通じて逸脱するのを防止している。なお、スプロケット支持体６ａ、６ｂの一部分（例えば、環状部分）を別の部材と置換しても構わない。
【００１３】
スプロケット９ａ、９ｂは、それぞれ、複数のスプロケットの一部分を組み合わせることにより、直径を変更自在な仮想スプロケットを形成する役割をする。さらに、スプロケット９ａ、９ｂをラチェット機構などにより、一方向のみ回転自在にすることによって、入力軸１ａからの動力を出力軸１ｂに確実に伝達させている。
【００１４】
チェーン１０は、入力軸側から出力軸側に、動力を伝達する。
【００１５】
本実施例では、円錐体４ａ、４ｂを、それぞれ、入力軸１ａ、出力軸１ｂに固定し、スプロケット支持体６ａ、６ｂを、軸方向に移動自在に設けたが、円錐体４ａ、４ｂを、軸方向に移動自在に設け、スプロケット支持体６ａ、６ｂを、それぞれ、入力軸１ａ、出力軸１ｂに固定することもできる。
【００１６】
【発明の効果】
本発明の無段変速機は、以上説明したように構成されているので、作動時にチェーンが外れにくく、入力軸側の動力を、確実かつ滑らかに出力軸側に伝達することができる。
【図面の簡単な説明】
【図１】本発明の実施例の断面図である。
【図２】本発明の実施例の上面図である。
【図３】本発明の実施例の別の変速比選択時の例を示す上面図である。
【図４】本発明の実施例の別の変速比選択時の例を示す断面図である。
【図５】従来の無段変速機を示す図である。
【符号の説明】
１ａ，２ａ，３ａ，４ａ，５ａ，６ａ，７ａ，８ａ，９ａ  入力軸関連部
１ｂ，２ｂ，３ｂ，４ｂ，５ｂ，６ｂ，７ｂ，８ｂ，９ｂ  出力軸関連部
１ａ  入力軸
１ｂ  出力軸
２ａ，２ｂ  スプロケット支持体ガイド部材
３ａ，３ｂ  スプロケットガイド部材
４ａ，４ｂ  円錐体
５ａ，５ｂ  スリット
６ａ，６ｂ  スプロケット支持体
７ａ，７ｂ  スプロケットガイドスリット
８ａ，８ｂ  空間
９ａ，９ｂ  スプロケット
１０        チェーン
【図１】
2004183877.tif 000003
【図２】
2004183877.tif 000004
【図３】
2004183877.tif 000005
【図４】
2004183877.tif 000006
【図５】
2004183877.tif 000007